(57)【特許請求の範囲】
【請求項１】
基板上に第１電極と、第２電極と、前記第１電極と前記第２電極の間に配置された発光材料層と、前記第１電極を制御するために配置された複数のスイッチング素子のいずれかに接続された走査線、信号線及び共通給電線を有する発光装置の製造方法であって、
前記基板上に前記走査線、前記走査線と交差する前記信号線及び前記信号線と平行に設けられた共通給電線を配置して、該走査線、信号線及び共通給電線により段差を形成し、
前記走査線、信号線及び共通給電線の段差により囲まれた凹部の所定位置に前記第１電極を形成し、
前記段差内の前記第１電極に対向する位置にインクジェット法により発光材料を選択的に塗布して、前記凹部の内側の領域に発光材料層を形成し、
しかる後に前記第１電極に対向するように前記第２電極を形成することを
特徴とする発光装置の製造方法。
【請求項２】
前記走査線、信号線及び共通給電線の膜厚は、前記発光材料層の膜厚よりも大きいことを特徴とする請求項１に記載の発光装置の製造方法。
【請求項３】
前記走査線、信号線及び共通給電線上に絶縁膜を形成する工程を有することを特徴とする請求項１または請求項２に記載の発光装置の製造方法。
【発明の詳細な説明】
【発明の属する技術分野】
本発明は、表示基板上の所定位置に選択的に蛍光材料（発光材料）や光変調材料等の光学剤を配置された表示素子に関するものである。
【背景技術】
ＬＣＤ（Liquid Crystal Display）やＥＬ（Electroluminescense）表示素子等のマトリクス型表示素子は、軽量、薄型、高画質および高精細を実現する表示素子として、多種かつ多数用いられている。マトリクス型表示素子は、マトリクス状のバス配線と、光学材料（発光材料または光変調材料）と、必要に応じて他の構造とにより構成される。
ここで、単色のマトリクス型表示素子であれば、配線や電極は表示基板上にマトリクス状に配置する必要はあるが、光学材料は、表示基板全面に一様に塗布することも可能である。
これに対し、例えば自己が発光するタイプであるＥＬ表示素子でいわゆるカラーのマトリクス型表示素子を実現しようとする場合、一画素毎に、ＲＧＢという光の三原色に対応して三つの画素電極を配置するとともに、各画素電極毎にＲＧＢいずれかに対応した光学材料を塗布しなければならない。つまり、光学材料を所定の位置に選択的に配置する必要がある。
そこで、光学材料をパターニングする方法の開発が望まれるのであるが、有効なパターニング方法の候補としては、エッチングと塗布とが挙げられる。
エッチングによる場合の工程は、次のようになる。
先ず、表示基板上に、光学材料の層を形成する。次に、光学材料の層の上にレジスト膜を形成し、そのレジスト膜をマスクを介して露光した後にパターニングする。そして、エッチングを行い、レジストのパターンに応じて、光学材料の層のパターニングを行う。
しかしながら、この場合は、工程数が多く、各材料、装置が高価であることにより、コストが高くなる。また、工程数が多く、各工程が複雑であることにより、スループットも悪い。さらに、光学材料の化学的性質によっては、レジストやエッチング液に対する耐性が低く、これらの工程が不可能な場合もある。
一方、塗布による場合の工程は、次のようになる。
先ず、光学材料を溶媒に溶かして液状にし、この液状の光学材料を、表示基板上の所定位置に、インクジェット方式等により選択的に塗布する。そして、必要に応じて、加熱や光照射等により、光学材料を固形化する。この場合は、工程数が少なく、各材料、装置が安価であることにより、コストが安くなる。また、工程数が少なく、各工程が簡略であることにより、スループットも良い。さらに、光学材料の化学的性質に関係なく、液状化ができれば、これらの工程が可能である。
【発明が解決しようとする課題】
上記のような塗布によるパターニングの方法は、一見容易に実行可能なようにも思える。しかし、インクジェット方式により光学材料を塗布する際には、その光学材料を溶媒により数十倍以上希釈しなければならないため、その流動性が高く、塗布した後にそれの固形化が完了するまで塗布位置に保持しておくことが困難であることが判った。
つまり、液状の光学材料の流動性に起因して、パターニングの精度が悪いことである。例えば、ある画素に塗布した光学材料が、隣接する画素に流出することにより、画素の光学特性が劣化する。また、各画素毎に、塗布面積にバラツキが生じることにより、塗布厚さにバラツキが生じ、光学材料の光学特性にバラツキが生じる。
かかる問題点は、塗布する際には液状で、後に固形化されるＥＬ表示素子用の発光材料等で顕著であるが、塗布した際及びその後も液状である液晶を、表示基板上に選択的に塗布する場合にも同様に生じる問題点である。
本発明は、このような従来の技術が有する未解決の課題に着目してなされたものであって、低コスト、高スループットおよび光学材料の自由度が高いこと等の特徴を維持しつつ、液状の光学材料を所定位置に確実に配置することができる表示素子の製造方法を提供することを目的としている。
【課題を解決するための手段】
本発明の発光装置の製造方法は、基板上に第１電極と、第２電極と、前記第１電極と前記第２電極の間に配置された発光材料層と、前記第１電極を制御するために配置された複数のスイッチング素子のいずれかに接続された走査線、信号線及び共通給電線を有する発光装置の製造方法であって、
前記基板上に前記走査線、前記走査線と交差する前記信号線及び前記信号線と平行に設けられた共通給電線を配置して、該走査線、信号線及び共通給電線により段差を形成し、
前記走査線、信号線及び共通給電線の段差により囲まれた凹部の所定位置に前記第１電極を形成し、
前記段差内の前記第１電極に対向する位置にインクジェット法により発光材料を選択的に塗布して、前記凹部の内側の領域に発光材料層を形成し、
しかる後に前記第１電極に対向するように前記第２電極を形成することを
特徴とする。
本発明の発光装置の製造方法は、前記走査線、信号線及び共通給電線の膜厚は、前記発光材料層の膜厚よりも大きいことを特徴とする。
本発明の発光装置の製造方法は、前記走査線、信号線及び共通給電線上に絶縁膜を形成する工程を有することを特徴とする。
【発明の実施の形態】
以下、本発明の好ましい実施の形態を、図面に基づいて説明する。
（１）第１の実施の形態
第１図乃至第５図は、本発明の第１の実施の形態を示す図であって、この実施の形態は、本発明に係るマトリクス型表示素子及びその製造方法を、ＥＬ表示素子を用いたアクティブマトリクス型の表示装置に適用したものである。より具体的には、配線としての走査線、信号線及び共通給電線を利用して、光学材料としての発光材料の塗布を行う例を示している。
第１図は、本実施の形態における表示装置１の一部を示す回路図であって、この表示装置１は、透明の表示基板上に、複数の走査線１３１と、これら走査線１３１に対して交差する方向に延びる複数の信号線１３２と、これら信号線１３２に並列に延びる複数の共通給電線１３３と、がそれぞれ配線された構成を有するとともに、走査線１３１及び信号線１３２の各交点毎に、画素領域素１Ａが設けられている。
信号線１３２に対しては、シフトレジスタ、レベルシフタ、ビデオライン、アナログスイッチを備えるデータ側駆動回路３が設けられている。また、走査線１３１に対しては、シフトレジスタおよびレベルシフタを備える走査側駆動回路４が設けられている。さらに、また、画素領域１Ａの各々には、走査線１３１を介して走査信号がゲート電極に供給されるスイッチング薄膜トランジスタ１４２と、このスイッチング薄膜トランジスタ１４２を介して信号線線１３２から供給される画像信号を保持する保持容量ｃａｐと、該保持容量ｃａｐによって保持された画像信号がゲート電極に供給されるカレント薄膜トランジスタ１４３と、このカレント薄膜トランジスタ１４３を介して共通給電線１３３に電気的に接続したときに共通給電線１３３から駆動電流が流れ込む画素電極１４１と、この画素電極１４１と反射電極１５４との間に挟み込まれる発光素子１４０と、が設けられている。
かかる構成であれば、走査線１３１が駆動されてスイッチング薄膜トランジスタ１４２がオンとなると、その時の信号線１３２の電位が保持容量ｃａｐに保持され、該保持容量ｃａｐの状態に応じて、カレント薄膜トランジスタ１４３のオン・オフ状態が決まる。そして、カレント薄膜トランジスタ１４３のチャネルを介して、共通給電線１３３から画素電極１４１に電流が流れ、さらに発光素子１４０を通じて反射電極１５４に電流が流れるから、発光素子１４０は、これを流れる電流量に応じて発光する。
ここで、各画素領域１Ａの平面構造は、反射電極や発光素子を取り除いた状態での拡大平面図である第２図に示すように、平面形状が長方形の画素電極１４１の四辺が、信号線１３２、共通給電線１３３、走査線１３１及び図示しない他の画素電極用の走査線によって囲まれた配置となっている。
第３図〜第５図は、画素領域１Ａの製造過程を順次示す断面図であって、第２図のＡ−Ａ線断面に相当する。以下、第３図〜第５図に従って、画素領域１Ａの製造工程を説明する。
先ず、第３図（ａ）に示すように、透明の表示基板１２１に対して、必要に応じて、ＴＥＯＳ（テトラエトキシシラン）や酸素ガスなどを原料ガスとしてプラズマＣＶＤ法により厚さが約２０００〜５０００オングストロームのシリコン酸化膜からなる下地保護膜（図示せず）。を形成する。次いで、表示基板１２１の温度を約３５０℃に設定して、下地保護膜の表面にプラズマＣＶＤ法により厚さが約３００〜７００オングストロームのアモルファスのシリコン膜からなる半導体膜２００を形成する。次にアモルファスのシリコン膜からなる半導体膜２００に対して、レーザアニールまたは固相成長法などの結晶化工程を行い、半導体膜２００をポリシリコン膜に結晶化する。レーザアニール法では、例えば、エキシマレーザでビームの長寸が４００ｍｍのラインビームを用い、その出力強度はたとえば２００ｍＪ／ｃｍ2である。ラインビームについてはその短寸方向におけるレーザ強度のピーク値の９０％に相当する部分が各領域毎に重なるようにラインビームを走査する。
次いで、第３図（ｂ）に示すように、半導体膜２００をパターニングして島状の半導体膜２１０とし、その表面に対して、ＴＥＯＳ（テトラエトキシシラン）や酸素ガスなどを原料ガスとしてプラズマＣＶＤ法により厚さが約６００〜１５００オングストロームのシリコン酸化膜または窒化膜からなるゲート絶縁膜２２０を形成する。なお、半導体膜２１０は、カレント薄膜トランジスタ１４３のチャネル領域及びソース・ドレイン領域となるものであるが、異なる断面位置においてはスイッチング薄膜トランジスタ１４２のチャネル領域及びソース・ドレイン領域となる半導体膜も形成されている。つまり、第３図〜第５図に示す製造工程では二種類のトランジスタ１４２、１４３が同時に作られるのであるが、同じ手順で作られるため、以下の説明では、トランジスタに関しては、カレント薄膜トランジスタ１４３についてのみ説明し、スイッチング薄膜トランジスタ１４２については説明を省略する。
次いで、第３図（ｃ）に示すように、アルミニウム、タンタル、モリブデン、チタン、タングステンなどの金属膜からなる導電膜をスパッタ法により形成した後、パターニングし、ゲート電極１４３Ａを形成する。
この状態で、高濃度のリンイオンを打ち込んで、シリコン薄膜２１０に、ゲート電極１４３Ａに対して自己整合的にソース・ドレイン領域１４３ａ、１４３ｂを形成する。なお、不純物が導入されなかった部分がチャネル領域１４３ｃとなる。
次いで、第３図（ｄ）に示すように、層間絶縁膜２３０を形成した後、コンタクトホール２３２、２３４を形成し、それらコンタクトホール２３２、２３４内に中継電極２３６、２３８を埋め込む。
次いで、第３図（ｅ）に示すように、層間絶縁膜２３０上に、信号線１３２、共通給電線１３３及び走査線（第３図には図示せず。）を形成する。このとき、信号線１３２、共通給電線１３３及び走査線の各配線は、配線として必要な厚さに捕らわれることなく、十分に厚く形成する。
具体的には、各配線を１〜２μｍ程度の厚さに形成する。ここで中継電極２３８と各配線とは、同一工程で形成されていてもよい。この時、中継電極２３６は、後述するＩＴＯ膜により形成されることになる。
そして、各配線の上面をも覆うように層間絶縁膜２４０を形成し、中継電極２３６に対応する位置にコンタクトホール２４２を形成し、そのコンタクトホール内にも埋め込まれるようにＩＴＯ膜を形成し、そのＩＴＯ膜をパターニングして、信号線１３２、共通給電線１３３及び走査線に囲まれた所定位置に、ソース・ドレイン領域１４３ａに電気的に接続する画素電極１４１を形成する。
ここで、第３図（ｅ）では、信号線１３２及び共通給電線１３３に挟まれた部分が、光学材料が選択的に配置される所定位置に相当するものである。そして、その所定位置とその周囲との間には、信号線１３２や共通給電線１３３によって段差１１１が形成されている。具体的には、所定位置の方がその周囲よりも低くなっている凹型の段差１１１が形成されている。
次いで、第４図（ａ）に示すように、表示基板１２１の上面を上に向けた状態で、インクジェットヘッド方式により、発光素子１４０の下層部分に当たる正孔注入層を形成するための液状（溶媒に溶かされた溶液状）の光学材料（前駆体）１１４Ａを吐出し、これを段差１１１で囲まれた領域内（所定位置）に選択的に塗布する。なお、インクジェット方式の具体的な内容は、本発明の要旨ではないため、省略する（かかる方式については、例えば、特開昭５６−１３１８４号公報や特開平２−１６７７５１号公報を参照）。
正孔注入層を形成するための材料としては、ポリマー前駆体がポリテトラヒドロチオフェニルフェニレンであるポリフェニレンビニレン、１，１−ビス−（４−Ｎ，Ｎ−ジトリルアミノフェニル）シクロヘキサン、トリス（８−ヒドロキシキノリノール）アルミニウム等が挙げられる。
このとき、液状の前駆体１１４Ａは、流動性が高いため、水平方向に広がろうとするが、塗布された位置を取り囲むように段差１１１が形成されているため、その液状の前駆体１１４Ａの１回当たりの塗布量を極端に大量にしなければ、液状の前駆体１１４Ａが段差１１１を越えて所定位置の外側に広がることは防止される。
次いで、第４図（ｂ）に示すように、加熱或いは光照射により液状の前駆体１１４Ａの溶媒を蒸発させて、画素電極１４１上に、固形の薄い正孔注入層１４０ａを形成する。ここでは、液状の前駆体１１４Ａの濃度にもよるが、薄い正孔注入層１４０ａしか形成されない。そこで、より厚い正孔注入層１４０ａを必要とする場合には、第４図（ａ）及び（ｂ）の工程を必要回数繰り返し実行し、第４図（ｃ）に示すように、十分な厚さの正孔注入層１４０Ａを形成する。
次いで、第５図（ａ）に示すように、表示基板１２１の上面を上に向けた状態で、インクジェットヘッド方式により、発光素子１４０の上層部分に当たる有機半導体膜を形成するための液状（溶媒に溶かされた溶液状）の光学材料（有機蛍光材料）１１４Ｂを吐出し、これを段差１１１で囲まれた領域内（所定位置）に選択的に塗布する。
有機蛍光材料としては、シアノポリフェニレンビニレン、ポリフェニレンビニレン、ポリアルキルフェニレン、２，３，６，７−テトラヒドロ−１１−オキソ−１Ｈ，５Ｈ，１１Ｈ（１）ベンゾピラノ［６，７，８−ｉｊ］−キノリジン−１０ーカルボン酸、１，１−ビス−（４−Ｎ，Ｎ−ジトリルアミノフェニル）シクロヘキサン、２−１３’，４’−ジヒドロキシフェニル）−３，５，７−トリヒドロキシ−１−ベンゾピリリウムパークロレート、トリス（８−ヒドロキシキノリノール）アルミニウム、２，３，６，７−テトラヒドロ−９−メチル−１１−オキソ−１Ｈ，５Ｈ，１１Ｈ（１）ベンゾピラノ［６，７，８−ｉｊ］−キノリジン、アロマティックジアミン誘導体（ＴＤＰ）、オキシジアゾールダイマー（ＯＸＤ）、オキシジアゾール誘導体（ＰＢＤ）、ジスチルアリーレン誘導体（ＤＳＡ）、キノリノール系金属錯体、ベリリウム−ベンゾキノリノール錯体（Ｂｅｂｑ）、トリフェニルアミン誘導体（ＭＴＤＡＴＡ）、ジスチリル誘導体、ピラゾリンダイマー、ルブレン、キナクリドン、トリアゾール誘導体、ポリフェニレン、ポリアルキルフルオレン、ポリアルキルチオフェン、アゾメチン亜鉛錯体、ポリフィリン亜鉛錯体、ベンゾオキサゾール亜鉛錯体、フェナントロリンユウロピウム錯体等が挙げられる。
このとき、液状の有機蛍光材料１１４Ｂは、流動性が高いため、やはり水平方向に広がろうとするが、塗布された位置を取り囲むように段差１１１が形成されているため、その液状の有機蛍光材料１１４Ｂの１回当たりの塗布量を極端に大量にしなければ、液状の有機蛍光材料１１４Ｂが段差１１１を越えて所定位置の外側に広がることは防止される。
次いで、第５図（ｂ）に示すように、加熱或いは光照射により液状の有機蛍光材料１１４Ｂの溶媒を蒸発させて、正孔注入層１４０Ａ上に、固形の薄い有機半導体膜１４０ｂを形成する。ここでは、液状の有機蛍光材料１１４Ｂの濃度にもよるが、薄い有機半導体膜１４０ｂしか形成されない。そこで、より厚い有機半導体膜１４０ｂを必要とする場合には、第５図（ａ）及び（ｂ）の工程を必要回数繰り返し実行し、第５図（ｃ）に示すように、十分な厚さの有機半導体膜１４０Ｂを形成する。正孔注入層１４０Ａ及び有機半導体膜１４０Ｂによって、発光素子１４０が構成される。最後に、第５図（ｄ）に示すように、表示基板１２１の表面全体に若しくはストライプ状に反射電極１５４を形成する。
このように、本実施の形態にあっては、発光素子１４０が配置される処置位置を四方から取り囲むように信号線１３２、共通配線１３３等の配線を形成するとともに、それら配線を通常よりも厚く形成して段差１１１を形成し、そして、液状の前駆体１１４Ａや液状の有機蛍光材料１１４Ｂを選択的に塗布するようにしているため、発光素子１４０のパターニング精度が高いという利点がある。
そして、段差１１１を形成すると、反射電極１５４は比較的凹凸の大きな面に形成されることになるが、その反射電極１５４の厚さをある程度厚くしておけば、断線等の不具合が発生する可能性は極めて小さくなる。
しかも、信号線１３２や共通配線１３３等の配線を利用して段差１１１を形成するため、特に新たな工程が増加する訳ではないから、製造工程の大幅な複雑化等を招くこともない。
なお、液状の前駆体１１４Ａや液状の有機蛍光材料１１４Ｂが、段差１１１の内側から外側に流れ出すことをより確実に防止するためには、液状の前駆体１１４Ａや液状の有機蛍光材料１１４Ｂの塗布厚さｄaと、段差１１１の高さｄrとの間に、
ｄa＜ｄr        ……（１）
という関係が成立するようにしておくことが望ましい。
ただし、液状の有機蛍光材料１１４Ｂを塗布する際には、既に正孔注入層１４０Ａが形成されているため、段差１１１の高さｄrは、当初の高さからその正孔注入層１４０Ａの分を差し引いて考えることが必要である。
また、上記（１）式を満足するとともに、さらに、有機半導体膜１４０Ｂに印加される駆動電圧Ｖdと、液状の有機蛍光材料１１４Ｂの各塗布厚さの和ｄbと、液状の有機蛍光材料１１４Ｂの濃度ｒと、有機半導体膜１４０Ｂに光学特性変化が現れる最少の電界強度（しきい電界強度）Ｅtとの間に、
Ｖd／（ｄb・ｒ）＞Ｅt    ……（２）
という関係が成立するようにすれば、塗布厚さと駆動電圧との関係が明確化され、有機半導体膜１４０Ｂの電気光学効果が発現することが補償される。
一方、段差１１１と発光素子１４０との平坦性が確保でき、有機半導体膜１４０Ｂの光学特性変化の一様性と、短絡の防止を可能とするためには、発光素子１４０の完成時の暑さｄfと、段差１１１の高さｄrとの間に、
ｄf＝ｄr        ……（３）
という関係を成立させればよい。
さらに、上記（３）式を満足するとともに、下記の（４）式を満足すれば、発光素子１４０の完成時の厚さと駆動電圧との関係が明確化され、有機蛍光材料の電気光学効果が発現することが補償される。
Ｖd／ｄf＞Ｅt  ……（４）
ただし、この場合のｄfは、発光素子１４０全体ではなく、有機半導体膜１４０Ｂの完成時の厚さである。
なお、発光素子１４０の上層部を形成する光学材料は、有機蛍光材料１１４Ｂに限定されるものではなく、無機の蛍光材料であってもよい。
また、スイッチング素子としての各トランジスタ１４２、１４３は、６００℃以下の低温プロセスで形成された多結晶シリコンにより形成することが望ましく、これにより、ガラス基板の使用による低コスト化と、高移動度による高性能化が両立できる。なお、スイッチング素子は、非晶質シリコンまたは６００℃以上の高温プロセスで形成された多結晶シリコンにより形成されてもよい。
そして、スイッチング薄膜トランジスタ１４２およびカレント薄膜トランジスタ１４３の他にトランジスタを設ける形式であってもよいし、或いは、一つのトランジスタで駆動する形式であってもよい。
また、段差１１１は、パッシブマトリクス型表示素子の第１のバス配線、アクティブマトリクス型表示素子の走査線１３１および、遮光層によって形成してもよい。
なお、発光素子１４０としては、発光効率（正孔注入率）がやや低下するものの、正孔注入層１４０Ａを省略してもよい。また、正孔注入層１４０Ａに代えて電子注入層を有機半導体膜１４０Ｂと反射電極１５４との間に形成してもよいし、或いは、正孔注入層及び電子注入層の双方を形成してもよい。
また、上記実施の形態では、特にカラー表示を念頭において、各発光素子１４０全体を選択的に配置した場合について説明したが、例えば単色表示の表示装置１の場合には、第６図に示すように、有機半導体膜１４０Ｂは、表示基板１２１全面に一様に形成してもよい。ただし、この場合でも、クロストークを防止するために正孔注入層１４０Ａは各所定位置毎に選択的に配置しなければならないため、段差１１１を利用した塗布が極めて有効である。
（２）第２の実施の形態
第７図は本発明の第２の実施の形態を示す図であって、この実施の形態は、本発明に係るマトリクス型表示素子及びその製造方法を、ＥＬ表示素子を用いたパッシブマトリクス型の表示装置に適用したものである。
なお、第７図（ａ）は、複数の第１のバス配線３００と、これに直交する方向に配設された複数の第２のバス配線３１０と、の配置関係を示す平面図であり、第７図（ｂ）は、同（ａ）のＢ−Ｂ線断面図である。なお、上記第１の実施の形態と同様の構成には、同じ符号を付し、その重複する説明は省略する。また、細かな製造工程等も上記第１の実施の形態と同様であるため、その図示及び説明は省略する。
即ち、本実施の形態にあっては、発光素子１４０が配置される所定位置を取り囲むように、例えばＳｉＯ2等の絶縁膜３２０が配設されていて、これにより、所定位置とその周囲との間に、段差１１１が形成されている。
このような構成であっても、上記第１の実施の形態と同様に、液状の前駆体１１４Ａや液状の有機蛍光材料１１４Ｂを選択的に塗布する際に、それらが周囲に流れ出ることが防止でき、高精度のパターニングが行える等の利点がある。
（３）第３の実施の形態
第８図は本発明の第３の実施の形態を示す図であって、この実施の形態も、上記第１の実施の形態と同様に、本発明に係るマトリクス型表示素子及びその製造方法を、ＥＬ表示素子を用いたアクティブマトリクス型の表示装置に適用したものである。より具体的には、画素電極１４１を利用して段差１１１を形成することにより、高精度のパターニングが行えるようにしたものである。なお、上記実施の形態と同様の構成には、同じ符号を付しておく。また、第８図は製造工程の途中を示す断面図であり、その前後は上記第１の実施の形態と略同様であるためその図示及び説明は省略する。
即ち、本実施の形態では、画素電極１４１を通常よりも厚く形成し、これにより、その周囲と間に段差１１１を形成している。つまり、本実施の形態では、後に光学材料が塗布される画素電極１４１の方がその周囲よりも高くなっている凸型の段差が形成されている。
そして、上記第１の実施の形態と同様に、インクジェットヘッド方式により、発光素子１４０の下層部分に当たる正孔注入層を形成するための液状（溶媒に溶かされた溶液状）の光学材料（前駆体）１１４Ａを吐出し、画素電極１４１上面に塗布する。
ただし、上記第１の実施の形態の場合とは異なり、表示基板１２１を上下逆にした状態、つまり液状の前駆体１１４Ａが塗布される画素電極１４１上面を下方に向けた状態で、液状の前駆体１１４Ａの塗布を行う。
すると、液状の前駆体１１４Ａは、重力と表面張力とによって、画素電極１４１上面に溜まり、その周囲には広がらない。よって、加熱や光照射等を行って固形化すれば、第４図（ｂ）と同様の薄い正孔注入層を形成でき、これを繰り返せば正孔注入層が形成される。同様の手法で、有機半導体膜も形成される。
このように、本実施の形態では、凸型の段差１１１を利用して液状の光学材料を塗布して発光素子のパターニング精度を向上することができる。
なお、遠心力等の慣性力を利用して、画素電極１４１上面に溜まる液状の光学材料の量を調整するようにしてもよい。
（４）第４の実施の形態
第９図は本発明の第４の実施の形態を示す図であって、この実施の形態も、上記第１の実施の形態と同様に、本発明に係るマトリクス型表示素子及びその製造方法を、ＥＬ表示素子を用いたアクティブマトリクス型の表示装置に適用したものである。なお、上記実施の形態と同様の構成には、同じ符号を付しておく。また、第９図は製工程の途中を示す断面図であり、その前後は上記第１の実施の形態と略同様であるためその図示及び説明は省略する。
即ち、本実施の形態では、先ず、表示基板１２１上に、反射電極１５４を形成し、次いで、反射電極１５４上に、後に発光素子１４０が配置される所定位置を取り囲むように絶縁膜３２０を形成し、これにより所定位置の方がその周囲よりも低くなっている凹型の段差１１１を形成する。
そして、上記第１の実施の形態と同様に、段差１１１で囲まれた領域内に、インクジェット方式により液状の光学材料を選択的に塗布することにより、発光素子１４０を形成する。
一方、剥離用基板１２２上に、剥離層１５２を介して、走査線１３１、信号線１３２、画素電極１４１、スイッチング薄膜トランジスタ１４２、カレント薄膜トランジスタ１４３および絶縁膜２４０を形成する。
最後に、表示基板１２１上に、剥離用基板１２２上の剥離層１２２から剥離された構造を転写する。
このように、本実施の形態であっても、段差１１１を利用して液状の光学材料を塗布するようにしたから、高精度のパターニングが行える。
さらに、本実施の形態では、発光素子１４０等の下地材料への、その後の工程によるダメージ、あるいは、走査線１３１、信号線１３２、画素電極１４１、スイッチング薄膜トランジスタ１４２、カレント薄膜トランジスタ１４３または絶縁膜２４０への、光学材料の塗布等によるダメージを、軽減することが可能となる。
本実施の形態では、アクティブマトリクス型表示素子として説明したが、パッシブマトリクス型表示素子であってもよい。
（５）第５の実施の形態
第１０図は本発明の第６の実施の形態を示す図であって、この実施の形態も、上記第１の実施の形態と同様に、本発明に係るマトリクス型表示素子及びその製造方法を、ＥＬ表示素子を用いたアクティブマトリクス型の表示装置に適用したものである。なお、上記実施の形態と同様の構成には、同じ符号を付しておく。また、第１０図は製造工程の途中を示す断面図であり、その前後は上記第１の実施の形態と略同様であるためその図示及び説明は省略する。
即ち、本実施の形態では、層間絶縁膜２４０を利用して凹型の段差１１１を形成していて、これにより、上記第１の実施の形態と同様の作用効果を得るようにしている。
また、層間絶縁膜２４０を利用して段差１１１を形成するため、特に新たな工程が増加する訳ではないから、製造工程の大幅な複雑化等を招くこともない。
（６）第６の実施の形態
第１１図は本発明の第６の実施の形態を示す図であって、この実施の形態も、上記第１の実施の形態と同様に、本発明に係るマトリクス型表示素子及びその製造方法を、ＥＬ表示素子を用いたアクティブマトリクス型の表示装置に適用したものである。なお、上記実施の形態と同様の構成には、同じ符号を付しておく。また、第１１図は製造工程の途中を示す断面図であり、その前後は上記第１の実施の形態と略同様であるためその図示及び説明は省略する。
即ち、本実施の形態では、段差を利用してパターニング精度を向上させるのではなく、液状の光学材料が塗布される所定位置の親水性を、その周囲の親水性よりも相対的に強くすることにより、塗布された液状の光学材料が周囲に広がらないようにしたものである。
具体的には、第１１図に示すように、層間絶縁膜２４０を形成した後に、その上面に非晶質シリコン層１５５を形成している。非晶質シリコン層１５５は、画素電極１４１を形成するＩＴＯよりも相対的に撥水性が強いので、ここに、画素電極１４１表面の親水性がその周囲の親水性よりも相対的に強い撥水性・親水性の分布が形成される。
そして、上記第１の実施の形態と同様に、画素電極１４１の上面に向けて、インクジェット方式により液状の光学材料を選択的に塗布することにより、発光素子１４０を形成し、最後に反射電極を形成する。
このように、本実施の形態であっても、所望の撥水性・親液性の分布を形成してから液状の光学材料を塗布するようにしているから、パターニングの精度を向上させることができる。
なお、本実施の形態の場合も、パッシブマトリクス型表示素子に適用できることは勿論である。
また、剥離用基板１２１上に剥離層１５２を介して形成された構造を、表示基板１２１に転写する工程を含んでいてもよい。
さらに、本実施の形態では、所望の撥水性・親水性の分布を、非晶質シリコン層１５５によって形成しているが、撥水性・親水性の分布は、金属や、陽極酸化膜、ポリイミドまたは酸化シリコン等の絶縁膜や、他の材料により形成されていてもよい。なお、パッシブマトリクス型表示素子であれば第１のバス配線、アクティブマトリクス型表示素子であれば走査線１３１、信号線１３２、画素電極１４１、絶縁膜２４０或いは遮光層によって形成してもよい。また、本実施の形態では、液状の光学材料が水溶液であることを前提に説明したが、他の液体の溶液を用いた液状の光学材料であってもよく、その場合は、その溶液に対して撥液性・親液性が得られるようにすればよい。
（７）第７の実施の形態
本発明の第７の実施の形態は、断面構造は上記第５の実施の形態で使用した第１０図と同様であるため、これを用いて説明する。
即ち、本実施の形態では、層間絶縁膜２４０をＳｉＯ2で形成するとともに、その表面に紫外線を照射し、その後に、画素電極１４１表面を露出させ、そして液状の光学材料を選択的に塗布するようになっている。
このような製造工程であれば、段差１１１が形成されるだけでなく、層間絶縁膜２４０表面に沿って撥液性の強い分布が形成されるため、塗布された液状の光学材料は、段差１１１と層間絶縁膜２４０の撥液性との両方の作用によって所定位置に溜まり易くなっている。つまり、上記第５の実施の形態と、上記第６の実施の形態との両方の作用が発揮されるから、さらに発光素子１４０のパターニング精度を向上させることができる。
なお、紫外線を照射するタイミングは、画素電極１４１の表面を露出させる前後いずれでもよく、層間絶縁膜２４０を形成する材料や、画素電極１４１を形成する材料等に応じて適宜選定すればよく。ちなみに、画素電極１４１の表面を露出させる前に紫外線を照射する場合には、段差１１１の内壁面は撥液性が強くならないから、段差１１１で囲まれた領域に液状の光学材料を溜めることにとって有利である。これとは逆に、画素電極１４１の表面を露出させた後に紫外線を照射する場合には、段差１１１の内壁面の撥液性が強くならないように垂直に紫外線を照射する必要があるが、画素電極１４１の表面を露出する際のエッチング工程の後で紫外線を照射するため、そのエッチング工程によって撥液性が弱まるような懸念がないという利点がある。
また、層間絶縁膜２４０を形成する材料としては、例えばフォトレジストを用いることもできるし、或いはポリイミドを用いてもよく、これらであればスピンコートにより膜を形成できるという利点がある。
そして、層間絶縁膜２４０を形成する材料によっては、紫外線を照射するのではなく、例えばＯ2、ＣＦ4、Ａｒ等のプラズマを照射することにより撥液性が強くなるようにしてもよい。
（８）第８の実施の形態
第１２図は本発明の第８の実施の形態を示す図であって、この実施の形態も、上記第１の実施の形態と同様に、本発明に係るマトリクス型表示素子及びその製造方法を、ＥＬ表示素子を用いたアクティブマトリクス型の表示装置に適用したものである。なお、上記実施の形態と同様の構成には、同じ符号を付しておく。また、第１２図は製造工程の途中を示す断面図であり、その前後は上記第１の実施の形態と略同様であるためその図示及び説明は省略する。
即ち、本実施の形態では、段差や撥液性・親液性の分布等を利用してパターニング精度を向上させるのではなく、電位による引力や斥力を利用してパターニング精度の向上を図っている。
つまり、第１２図に示すように、信号線１３２や共通給電線１３３を駆動するとともに、図示しないトランジスタを適宜オン・オフすることにより、画素電極１４１がマイナス電位となり、層間絶縁膜２４０がプラス電位となる電位分布を形成する。そして、インクジェット方式により、プラスに帯電した液状の光学材料１１４を所定位置に選択的に塗布する。
このように、本実施の形態であれば、表示基板１２１上に所望の電位分布を形成し、その電位分布と、プラスに帯電した液状の光学材料１１４との間の引力及び斥力を利用して、液状の光学材料を選択的に塗布しているから、パターニングの精度を向上させることができる。
特に、本実施の形態では、液状の光学材料１１４を帯電させているので、自発分極だけでなく帯電電荷も利用することにより、パターニングの精度を向上する効果が、さらに高まる。
本実施の形態では、アクティブマトリクス型表示素子に適用した場合を示しているが、パッシブマトリクス型表示素子であっても適用可能である。
なお、剥離用基板１２１上に剥離層１５２を介して形成された構造を、表示基板１２１に転写する工程を含んでいてもよい。
また、本実施の形態では、所望の電位分布は、走査線１３１に順次電位を印加し、同時に信号線１３２および共通線１３３に電位を印加し、画素電極１４１にスイッチング薄膜トランジスタ１４２およびカレント薄膜トランジスタ１４３を介して電位を印加することにより形成される。
電位分布を走査線１３１、信号線１３２、共通線１３３および画素電極１４１で形成することにより、工程の増加が抑制できる。なお、パッシブマトリクス型表示素子であれば、電位分布は、第１のバス配線および遮光層によって形成することができる。
さらに、本実施の形態では、画素電極１４１と、その周囲の層間絶縁膜２４０との両方に電位を与えているが、これに限定されるものではなく、例えば第１３図に示すように、画素電極１４１には電位を与えず、層間絶縁膜２４０にのみプラス電位を与え、そして、液状の光学材料１１４をプラスに帯電させてから塗布するようにしてもよい。このようにすれば、塗布された後にも、液状の光学材料１１４は確実にプラスに帯電した状態を維持できるから、周囲の層間絶縁膜２４０との間の斥力によって、液状の光学材料１１４が周囲に流れ出ることをより確実に防止することができるようになる。
なお、上記各実施の形態で説明したものとは異なり、例えば、段差１１１を、液状の材料を塗布することにより形成してもよいし、或いは、段差１１１を、剥離用基板上に剥離層を介して材料を形成し、表示基板上に剥離用基板上に剥離層から剥離された構造を転写することにより形成してもよい。
また、上記各実施の形態では、光学材料として有機又は無機のＥＬが適用可能であるとして説明したが、これに限定されるものではなく、光学材料は液晶であってもよい。
産業上の利用可能性
以上説明したように、本発明によれば、発光材料を所定の第１バス配線と第２バス配線の内側の第一電極に対向する位置に的確に塗布することができ、液状の発光材料が周囲に広がることを防ぐことができる。
【図面の簡単な説明】
【図１】本発明の第１の実施の形態における表示装置の一部を示す回路図である。
【図２】画素領域の平面構造を示す拡大平面図である。
【図３】第１の実施の形態における製造工程の流れを示す断面図である。
【図４】第１の実施の形態における製造工程の流れを示す断面図である。
【図５】第１の実施の形態における製造工程の流れを示す断面図である。
【図６】第１の実施の形態の変形例を示す断面図である。
【図７】第２の実施の形態を示す平面図及び断面図である。
【図８】第３の実施の形態の製造工程の一部を示す断面図である。
【図９】第４の実施の形態の製造工程の一部を示す断面図である。
【図１０】第５の実施の形態の製造工程の一部を示す断面図である。
【図１１】第６の実施の形態の製造工程の一部を示す断面図である。
【図１２】第８の実施の形態の製造工程の一部を示す断面図である。
【図１３】第８の実施の形態の変形例を示す断面図である。
【図１】
0003786427.tif 000002
【図２】
0003786427.tif 000003
【図３】
0003786427.tif 000004
【図４】
0003786427.tif 000005
【図５】
0003786427.tif 000006
【図６】
0003786427.tif 000007
【図７】
0003786427.tif 000008
【図８】
0003786427.tif 000009
【図９】
0003786427.tif 000010
【図１０】
0003786427.tif 000011
【図１１】
0003786427.tif 000012
【図１２】
0003786427.tif 000013
【図１３】
0003786427.tif 000014